(57)【要約】 【課題】  植物系廃棄物などの資源を有効活用して、分解速度が速く廃棄処分の容易な遊技機の変動図柄表示装置を提供する。【解決手段】  複数個の回転ドラム１が筐体６内にそれぞれ別個に停止自在に設けられ、該回転ドラム１の外周面には複数の絵柄が描かれた変動図柄表示装置において、回転ドラム１や筐体６を生分解性プラスチックにより製造する。生分解性プラスチックとして、古紙などの植物系廃棄物を原料として製造された完全分解型生分解性プラスチックなどを用いることができる。また、回転ドラム１表面の絵柄を、澱粉変性物系などの生分解性インキにより描くことができる。【選択図】    図１
2005087533.tif 000002
【特許請求の範囲】
【請求項１】
筐体内に複数個の回転ドラムがそれぞれ別個に停止自在に設けられ、該回転ドラムの外周面には複数の絵柄が描かれた変動図柄表示装置において、前記回転ドラムは生分解性プラスチックにより製造されていることを特徴とする遊技機の変動図柄表示装置。
【請求項２】
筐体が生分解性プラスチックにより製造されていることを特徴とする請求項１に記載の遊技機の変動図柄表示装置。
【請求項３】
生分解性プラスチックは、植物系廃棄物を原料として製造された完全分解型生分解性プラスチックであることを特徴とする請求項１または２に記載の遊技機の変動図柄表示装置。
【請求項４】
生分解性プラスチックは、汎用合成樹脂に植物系天然高分子が混合された崩壊型生分解性プラスチックであることを特徴とする請求項１または２に記載の遊技機の変動図柄表示装置。
【請求項５】
絵柄が生分解性インキにより描かれていることを特徴とする請求項１〜４の何れかに記載の遊技機の変動図柄表示装置。
【発明の詳細な説明】
【技術分野】
【０００１】
本発明は、スロットマシン、パチスロ機などの遊技機に用いられる変動図柄表示装置に関するものである。
【背景技術】
【０００２】
スロットマシンなどの遊技機は、メダルなどの遊技媒体を投入して複数の絵柄列を回転させて遊技を行うものである。図３に例示するスロットマシンは、複数の回転ドラム１を備えた変動図柄表示装置２、メダル投入口３、スタートレバー４、及び各回転ドラム１に対応する複数のストップボタン５が正面に配置されている。このスロットマシンにおいて遊技者がメダル投入口３にメダルを投入しスタートレバー４を操作すると、回転ドラム１に描かれた絵柄列が回転して遊技が始まり、遊技開始とともに制御部は内部的に抽選を行う。抽選の結果当選すると内部入賞状態となる。次に遊技者が各回転ドラム１に対応するストップボタン５を押すと、予め定められた所定の絵柄の組合せが窓上に表示されるように制御して絵柄列を停止する。全ての絵柄列が停止した後、窓上に現れる絵柄の組合せに応じて所定の数のメダルが払い出される。
【０００３】
変動図柄表示装置２は、例えば図４に示す、複数の回転ドラム１とそれらの回転ドラム１を回転、停止自在に支える筐体６とからなる特許文献１に記載されたようなものであって、従来回転ドラム１や筐体６はポリエチレンやポリプロピレン等の合成樹脂により製造されていた。このような変動図柄表示装置２は、廃棄処分した場合に長年の放置によっても容易に分解されずいつまでも形を保持したまま存在するという不都合があった。また、上記のような汎用合成樹脂は難燃性を有するうえに、焼却処分した場合には有害なガスを発生したりして大気を汚染するので、一般ゴミとして処分することは不可能である。したがって、従来の変動図柄表示装置は廃棄後の処理についてしばしば問題となることがあった。
さらに、遊技機機台の廃材や古紙などの植物系廃棄物、或いは家畜飼料用のとうもろこしなどの余剰作物についても処分に苦慮しているのが実情であり、これらを成形原料として利用することができれば、資源をリサイクル使用するものとして非常に有益である。
【特許文献１】特開２００１−３１４５８６号公報（図４）
【発明の開示】
【発明が解決しようとする課題】
【０００４】
本発明は上記した従来の問題点を解決し、資源を有効に活用して分解速度が速く廃棄処分の容易な遊技機の変動図柄表示装置を提供するためになされたものである。    
【課題を解決するための手段】
【０００５】
上記の課題を解決するためになされた本発明の遊技機の変動図柄表示装置は、筐体内に複数個の回転ドラムがそれぞれ別個に停止自在に設けられ、該回転ドラムの外周面には複数の絵柄が描かれた変動図柄表示装置において、前記回転ドラムは生分解性プラスチックにより製造されていることを特徴とするものである。  
【０００６】
上記変動図柄表示装置において、筐体も生分解性プラスチックにより製造することができ、生分解性プラスチックとして、植物系廃棄物を原料として製造された完全分解型生分解性プラスチックを用いることができ、あるいは、生分解性プラスチックとして、汎用合成樹脂に植物系天然高分子が混合された崩壊型生分解性プラスチックを用いることができる。また、回転ドラム表面の絵柄を生分解性インキにより描くことができる。
【発明の効果】
【０００７】
本発明の遊技機の変動図柄表示装置は、回転ドラムや筐体を生分解性プラスチック製としたので、微生物の分解作用によりこれらを従来より速く分解することができる。生分解性プラスチックとして、植物系廃棄物を原料として製造された完全分解型生分解性プラスチックを用いることによって、回転ドラムや筐体を最終的に無害な水と二酸化炭素等に分解することができる。また、生分解性プラスチックとして、農作物、特に余剰作物から取出したでんぷんなどの植物系天然高分子が汎用合成樹脂に混合された崩壊型生分解性プラスチックを用いるによって、生分解性プラスチックを安価に製造することができるうえに、余剰作物を処分して有効に活用することができる。また、絵柄を生分解性インキにより塗布、印刷するので、放置した場合にも環境を汚染することがない。
【発明を実施するための最良の形態】
【０００８】
以下に図面を参照しつつ本発明の好ましい実施形態を説明する。
図１は本発明に係る変動図柄表示装置の回転ドラム１を示す図であって、この回転ドラム１は円筒状の回転ドラム本体１１と、回転ドラム本体１に嵌め込まれる二つの支持部材１２とからなる。支持部材１２の中心にはモータによって駆動される回転軸（図示していない）が挿し込まれる。これらは何れも生分解性プラスチックにより製造されたものである。また、回転ドラム１は、既記した筐体６内に複数個が回転可能に配設されるが、筐体６も生分解性プラスチックにより製造することができる。すなわち、回転ドラム１の回転軸を含め変動図柄表示装置全体を生分解性プラスチックにより製造することができる。したがって、廃棄処分に際していちいち解体する必要がない。
【０００９】
上記生分解性プラスチックとして、植物系廃棄物を原料として製造された完全分解型生分解性プラスチックを用いることができる。植物系廃棄物としては、ダンボール、チラシ、再生紙などの古紙、生ゴミ、余剰農作物、木粉、竹、わら、間伐材、家具廃材、家屋解体廃材、パチンコ機機台廃材などを使用することができる。
【００１０】
ここで完全分解型生分解性プラスチックとは、プラスチックを構成する成分の全てが微生物の作用により最終的に水と二酸化炭素等に分解されるタイプにものをいう。しかし、充填剤や色素などの混合物にまで完全分解を要求されるものではなく、これらは自然界に与える影響がほとんどなければよい。このような生分解性プラスチックの製造に当っては、例えば先ず、上記したような植物系廃棄物から植物繊維を取り出す。次いで、植物繊維の主要成分であるセルロースをセルロース分解酵素とともに緩衝液中に投入して、セルロースを分解し糖（乳酸）を取り出す。次に回収した糖に脂肪酸を加えて共重合することにより、生分解性のあるプラスチックを合成することができる。そして、このプラスチックを用いて成形することによって完全分解型の生分解性を有する回転ドラム１や筐体６を製造することができる。
【００１１】
完全分解型生分解性プラスチックは、焼却した場合でも発生熱量が少なくダイオキシン等の有害物質が放出されることがない。また、化学的分解によってもとの原料である糖に再度戻すことができる。したがって、リサイクル使用が可能である。
【００１２】
上記完全分解型生分解型プラスチックに替えて生分解性プラスチックを、ポリエチレン、ポリプロピレン等の汎用合成樹脂に植物系天然高分子が混合された崩壊型（部分分解型）生分解性プラスチックとしてもよい。植物系天然高分子として、家畜飼料用のとうもろこし、ジャガイモ、大豆などの農作物から取出した澱粉、キトサン、たんぱく質を用いることができるし、これらにＰＶＡ（ポリビニルアルコール）を添加して用いることもできる。この崩壊型生分解性プラスチックは、分解過程で澱粉などは微生物に分解され、ベース材となる汎用合成樹脂の部分は分解されずに残る。しかしながら、肉眼で分解されたと認識されるレベルに崩壊されるので、完全分解型生分解性プラスチックと大きな変わりはない。なお、天然高分子の混合率を高めるほど分解速度を速めることができるが、透明フィルムの製造コストは高くなる。
【００１３】
本発明の遊技機の変動図柄表示装置は、スロットマシンのほか、図２に示すようにパチンコ機の役物７として用いることができるし、あるいはパチスロ機などに用いることもできる。
【００１４】
また、絵柄は、生分解性インキにより塗布、印刷するのが環境を汚染することがないので望ましい。絵柄は回転ドラム１に直接描くこともできるし、生分解性プラスチック製のフィルムに絵柄を印刷して、このフィルムを回転ドラム１に貼着してもよい。このような生分解性インキとして、澱粉変性物系のものや、脂肪族ポリエステル系のものを用いることができる。
【００１５】
以上に説明したように、本発明の遊技機の変動図柄表示装置は、植物系廃棄物や余剰作物を資源として有効に活用できるうえに、放置した場合には速やかに分解するという環境適合型の変動図柄表示装置として大きな価値を有するものである。
【図面の簡単な説明】
【００１６】
【図１】回転ドラムの一例を示す分解斜視図である。
【図２】変動図柄表示装置が配設されたパチンコ機の正面図である。
【図３】スロットマシンの一例を示す斜視図である。
【図４】変動図柄表示装置の斜視図である。
【符号の説明】
【００１７】
１  回転ドラム
６  筐体
【図１】
2005087533.tif 000003
【図２】
2005087533.tif 000004
【図３】
2005087533.tif 000005
【図４】
2005087533.tif 000006